(57)【要約】【課題】複数のものを吸着対象物に対して磁石により取付けることができるホルダ体を提供する。【解決手段】ホルダ体１０は、周壁２１、８１にて囲まれて上下方向に貫通する第１保持孔２２及び第２保持孔８２を有する第１ホルダ部２０及び第２ホルダ部８０が相互に連結され、第１ホルダ部２０の周壁２１の外面には、吸着対象物に吸着する磁石６０が固定されている。【選択図】図１
0003214817.tif 000002
【実用新案登録請求の範囲】
【請求項１】
周壁にて囲まれて上下方向に貫通する保持孔を有する複数のホルダ部が相互に連結され、前記複数のホルダ部のうち少なくとも１つのホルダ部の周壁の外面には、吸着対象物に吸着する磁石が固定されたホルダ体。
【請求項２】
前記複数のホルダ部のうち、少なくとも一つは、静刃及び動刃を有する鋏の専用のホルダ部としている請求項１に記載のホルダ体。
【請求項３】
前記鋏の専用のホルダ部の周壁には、該ホルダ部が鋏を上下方向に沿うように保持した際、該ホルダよりも下方に位置する刃先と協働して、前記鋏を立てる脚部を有する請求項２に記載のホルダ体。
【請求項４】
前記脚部は前記ホルダ部に対してヒンジ部を介して第１位置と第２位置との間を往復移動可能に連結されており、
前記第１位置は、前記刃先から遠位に離間して、前記刃先と協働して前記鋏を立てる位置とされ、
前記第２位置は、前記刃先から近位に位置するとされている請求項３に記載のホルダ体。
【請求項５】
前記鋏の専用のホルダ部の保持孔は、上部開口と下部開口を備えるとともに、前記上部開口から前記下部開口にいくほど、前記動刃及び静刃の刃表に相対する内面の幅が短くなっている請求項４に記載のホルダ体。
【考案の詳細な説明】
【技術分野】
【０００１】
本考案は、ホルダ体に関する。
【背景技術】
【０００２】
従来、冷蔵庫の扉等のスチール製の吸着対象物に対して、磁石により物を着脱自在に取付けることが行われている（特許文献１、特許文献２参照）。
【先行技術文献】
【特許文献】
【０００３】
【特許文献１】実開平７−１５３９３号公報
【特許文献２】実開平５−６８４８０号公報
【考案の概要】
【考案が解決しようとする課題】
【０００４】
特許文献１及び特許文献２は、前記磁石と一体に連結されている単品のものを吸着対象物に対して、前記磁石により取付状態にするだけのものである。
本考案の目的は、複数のものを吸着対象物に対して磁石により取付けることができるホルダ体を提供することにある。
【課題を解決するための手段】
【０００５】
上記問題点を解決するために、本考案のホルダ体は、周壁にて囲まれて上下方向に貫通する保持孔を有する複数のホルダ部が相互に連結され、前記複数のホルダ部のうち少なくとも１つのホルダ部の周壁の外面には、吸着対象物に吸着する磁石が固定されたものとしている。
【０００６】
また、前記複数のホルダ部のうち、少なくとも一つは、静刃及び動刃を有する鋏の専用のホルダ部としてもよい。
また、前記鋏の専用のホルダ部の周壁には、該ホルダ部が鋏を上下方向に沿うように保持した際、該ホルダよりも下方に位置する刃先と協働して、前記鋏を立てる脚部を有していてもよい。
【０００７】
また、前記脚部は前記ホルダ部に対してヒンジ部を介して第１位置と第２位置との間を往復移動可能に連結されており、前記第１位置は、前記刃先から遠位に離間して、前記刃先と協働して前記鋏を立てる位置とされ、前記第２位置は、前記刃先から近位に位置するとされていてもよい。
【０００８】
また、前記鋏専用のホルダ部の保持孔は、上部開口と下部開口を備えるとともに、前記上部開口から前記下部開口にいくほど、前記動刃及び静刃の刃表に相対する内面の幅が短くなっていることが好ましい。
【考案の効果】
【０００９】
本考案のホルダ体によれば、複数種類のものを吸着対象物に対して磁石により取付けることができる効果がある。
【図面の簡単な説明】
【００１０】
【図１】は第１実施形態のホルダ体のも斜視図。
【図２】第１実施形態のホルダ体に、複数の物を保持した状態の斜視図。
【図３】ホルダ体を吸着対象物に磁石で取付けた状態の側面図。
【図４】第２実施形態のホルダ体の斜視図。
【図５】第２実施形態のホルダ体の他の状態を示す斜視図。
【図６】第３実施形態のホルダ体の斜視図。
【図７】第３実施形態のホルダ体が吸着対象物に吸着した状態の説明図。
【考案を実施するための形態】
【００１１】
＜第１実施形態＞
図１〜図３を参照して本考案を具体化した第１実施形態を説明する。
図１に示すように、ホルダ体１０は、周壁２１にて上下方向に貫通する第１保持孔２２を有した第１ホルダ部２０と、第１ホルダ部２０に対して一体に連結されるとともに、周壁８１にて上下方向に貫通する第２保持孔８２を有する第２ホルダ部８０と、第１ホルダ部２０の周壁２１に固定された磁石６０とを有している。第１ホルダ部２０及び第２ホルダ部８０の材質は限定するものではないが、例えば、合成樹脂、或いは金属等からなっている。
【００１２】
第１保持孔２２は、偏平状に形成されて、断面が長方形となっている。第１保持孔２２において、前記断面が長方形を構成する短辺及び長辺のうち、短辺は下部開口から上部開口２２ａまで同一長さを有している。短辺の長さは、後述する鋏５０の静刃５１及び動刃５２の厚みの合計値よりも若干大きく設定されている。一方、前記長辺は上部開口２２ａから下部開口に行くほど、徐々に短くなっている。すなわち、第１保持孔２２は、後述する鋏５０の静刃５１及び動刃５２の刃表に相対する内面の幅が上部開口２２ａから下部開口にいくほど小さくなっている。また、前記長辺の長さは、後述する鋏５０の静刃５１及び動刃５２を閉じた状態において、静刃５１及び動刃５２を嵌入可能な大きさとされている。上記のようにして、第１保持孔２２は、静刃５１及び動刃５２を閉じた状態で、鋏５０の静刃５１及び動刃５２に対して上方から着脱自在に嵌合可能となっている。
【００１３】
なお、鋏５０は、図示しないネジ部により開閉自在に支持された静刃５１及び動刃５２とを有し、静刃５１及び動刃５２の端から延びる柄杆５３、５４には、それぞれ指穴５５、５６を有する指掛杆５７、５８が設けられている。鋏５０の静刃５１及び動刃５２の峰は、それぞれ先端に向かって斜状となるように、或いはアールを有するように形成されている。
【００１４】
第１ホルダ部２０は、閉じた状態の鋏５０の指掛杆５７、５８が第１保持孔２２周縁部に係止されるまで第１保持孔２２に対して上方から嵌入可能となっている。さらに、第１ホルダ部２０に対する鋏５０の嵌合が完了した状態では、第１保持孔２２の断面長方形のうち、短辺側となる内側面が鋏５０の静刃５１及び動刃５２の峰に当接するようになっている。
【００１５】
第２ホルダ部８０は、第１ホルダ部２０に周壁２１に対して側方へ略円形リング状をなす周壁８１を有していて、周壁８１により、上下方向に貫通する円形状の第２保持孔８２を有している。第２ホルダ部８０は、図２に示すように、第２保持孔８２の内径よりも大きな部位を上部側に有した花束等の飾り９０が上方から差し込まれることにより、飾り９０を支持することができる。また、図１に示すように、第１ホルダ部２０の周壁において、第２ホルダ部８０と反対側の外面には、磁石６０が固定されている。
【００１６】
（第１実施形態の作用）
上記のように構成されたホルダ体１０の作用を説明する。
図２に示すように、第１ホルダ部２０の第１保持孔２２に鋏５０を嵌入するとともに、花束等の飾り９０を第２ホルダ部８０に貫通させて保持する。なお、飾り９０は、その下部が第２ホルダ部８０の第２保持孔８２に対して貫通状態となるが、中央部または上部が第２保持孔８２の周縁部に係止して抜けでない大きさのものを選択する。
【００１７】
この状態で、図３に示すように、冷蔵庫との扉等のスチール製の吸着対象物６１に対してホルダ体１０を磁石６０により吸着させる。このようにして、本実施形態のホルダ体１０は、鋏５０と飾り９０とを保持した状態で、吸着対象物６１に対して取付けることができる。このため、飾り９０で、鋏５０を少なくとも一部が覆われるため、部屋の修飾効果を挙げることができる。
【００１８】
本実施形態では、下記の特徴を有する。
（１）本実施形態のホルダ体１０は、周壁２１、８１にて囲まれて上下方向に貫通する第１保持孔２２及び第２保持孔８２を有する第１ホルダ部２０及び第２ホルダ部８０が相互に連結され、第１ホルダ部２０の周壁２１の外面には、吸着対象物６１に吸着する磁石６０が固定されている。この結果、本実施形態によれば、複数のものを吸着対象物に対して磁石により取付けることができる。
【００１９】
（２）本実施形態では、第１ホルダ部２０は静刃５１及び動刃５２を有する鋏５０の専用のホルダ部としている。この結果、鋏のホルダ体として、吸着対象物に対して磁石により取付けることができる。
【００２０】
＜第２実施形態＞
図４及び図５を参照して第２実施形態のホルダ体１０を説明する。
本実施形態のホルダ体１０は、周壁８１及び第２保持孔８２の形状が、第１実施形態よりも大きさが小さくされているとともに略四角形状としているところ、並びに第１ホルダ部２０に対してヒンジ部３０を介して連結された脚部４０を備えているところが、第１実施形態と異なっている。また、脚部４０の下端側は、分岐して、一対の足部４２、４３が形成されている。
【００２１】
ヒンジ部３０は、ストッパ付ヒンジにて構成されている。脚部４０は、前記ストッパ付ヒンジにより、第１ホルダ部２０に対する鋏５０の嵌合が完了した状態で、図４に示す実線で示す第１位置Ａ１と、鋏５０に略平行に配置される第２位置Ａ２間を往復移動可能である。図４では、第１位置Ａ１と第２位置Ａ２間でヒンジ部３０により、回転角θで脚部４０が揺動可能であることが示されている。
【００２２】
第１位置Ａ１は、脚部４０の先端が鋏５０の刃先から離間した遠位の位置であって、脚部４０の足部４２、４３と、鋏５０の刃先と協働して３点で安定して鋏５０を立てることが可能な位置である。この３点で安定して鋏５０を立てる場合、鋏５０は、脚部４０側に向かって斜状に配置されることが好ましい。また、鋏５０を立てる角度は、鋏５０の指掛杆５７、５８と脚部４０の先端が設置する水平面に対して９０度未満であって、７０度以上が好ましい。第２位置Ａ２は、前記脚部４０の先端が鋏５０の刃先に対して近位に位置する位置であって、本実施形態では、脚部４０が、鋏５０と略平行となる位置である。なお、前記遠位の位置よりも脚部４０の先端が鋏５０の刃先に近ければ第２位置Ａ２は限定するものではない。
【００２３】
（第２実施形態の作用）
上記のように構成されたホルダ体１０では、第１実施形態と同様に、吸着対象物６１に対して磁石６０にて吸着保持できる他、下記の特徴的な作用がある。
【００２４】
ホルダ体１０を使用する場合、静刃５１及び動刃５２を閉じた状態の鋏５０を第１ホルダ部２０の第１保持孔２２に嵌合した状態にして、この後、図４に示すように、脚部４０を、第２位置Ａ２から回転角θ分回転させて第１位置Ａ１に移動させる。この状態で、載置台（図示しない）等の水平面上に刃先及び脚部４０の足部４２、４３を載置する。この結果、鋏５０はホルダ体１０により安定した状態で立たせることができる。この状態で、図５に示すように、ホルダ体１０及び鋏５０を飾り７０で被せるように配置する。本実施形態では、飾り７０は、例えば、鎧飾りである。この鎧飾りは、鋏５０及びホルダ体１０を収納する空間を有しているとともに、鋏５０及びホルダ体１０に当接して、安定して支持される部位を内面に有している。
【００２５】
＜第３実施形態＞
図６及び図７を参照して、第３実施形態を説明する。本実施形態のホルダ体１０は、第２実施形態と同様のストッパ付ヒンジであるヒンジ部３０を有しているが脚部４０の構成が異なることと、第１実施形態の第２ホルダ部８０を有しているところが異なっている。
【００２６】
図６に示すように、ヒンジ部３０は、第１ホルダ部２０の側面に固定された固定板３１と、固定板３１に対して回動自在に連結されて並設された一対の可動片３２とを有している。可動片３２は、前記ストッパ付ヒンジにより回転角θ分を回転可能としている。各可動片３２には、長尺状の足部４２、４３がそれぞれ軸３３により可動片３２の回転方向とは直交する方向において、回転自在に連結されている。足部４２、４３が軸３３によりそれぞれ回転自在に支持されていることにより、相互に平行となる準備位置（図６に実線で示す位置）と、図示しない係止ストッパにより係止されて二点鎖線で示す相互に下端が離間した使用位置に位置することが可能となっている。
【００２７】
（第３実施形態の作用）
上記のように構成されたホルダ体１０では、第１実施形態と同様に、吸着対象物６１に対して磁石６０にて吸着保持できる他、下記の特徴的な作用がある。
【００２８】
本実施形態のホルダ体１０は、足部４２、４３を有する可動片３２を、回転角θ分回転させた状態で準備位置（実線で示す位置）に位置させ、さらに、足部４２、４３を準備位置から開いた使用位置（二点鎖線で示す位置）に位置させることで、飾り９０を第２ホルダ部８０により支持させることが可能となる。
【００２９】
なお、本考案の実施形態は前記実施形態に限定されるものではなく、下記のように変更してもよい。
・前記実施形態では、ホルダ部を第１ホルダ部２０と、第２ホルダ部の２つとしたが、ホルダ部は３つ以上で構成してもよい。
【００３０】
・前記実施形態では、第１ホルダ部２０に磁石６０を固定したが、第１ホルダ部２０及び第２ホルダ部８０の両者に亘って磁石６０を固定してもよい。
・前記実施形態では、第１ホルダ部２０を鋏専用のホルダ部としたが、鋏専用に限定するものではなく、例えば、ナイフ、包丁、ボールペンの文具等の他の道具用のホルダ部としてもよい。
【符号の説明】
【００３１】
１０…ホルダ体、２０…第１ホルダ部、２１…周壁、２２…第１保持孔、
２２ａ…上部開口、３０…ヒンジ部、３１…固定片、３２…可動片、
３３…軸、４０…脚部、４２、４３…足、５０…鋏、５１…静刃、
５２…動刃、５３…柄杆、５４…柄杆、５５…指穴、５６…指穴、
５７…指掛杆、５８…指掛杆、６０…磁石、６１…吸着対象物、７０…飾り、
８０…第２ホルダ部、８１…周壁、８２…第２保持孔、９０…飾り。
【図１】
0003214817.tif 000003
【図２】
0003214817.tif 000004
【図３】
0003214817.tif 000005
【図４】
0003214817.tif 000006
【図５】
0003214817.tif 000007
【図６】
0003214817.tif 000008
【図７】
0003214817.tif 000009